(57)【要約】【課題】ＡＤＦで原稿詰まりが発生した際に外部から印刷処理が入力された場合にも、用紙の無駄な排出を抑制できる画像形成装置およびその制御方法を提供する。【解決手段】原稿の画像を読み取る読み取り部と原稿を搬送する原稿搬送部と画像データが入力されるＩ／Ｆと読み取った画像または入力された画像データに基づく画像を用紙に形成する画像形成部と用紙を画像形成部に搬送する搬送路と用紙の搬送と形成する画像を制御する制御回路部とからなる画像形成装置で、原稿搬送部で原稿を搬送して読み取り部で読み取った画像を用紙に形成中、搬送路内で用紙を搬送中に原稿搬送部で原稿詰まりが発生した際、用紙が画像形成部に達した後の場合は画像形成部から用紙を排出し、用紙が画像形成部に達する前で画像データが入力されている場合には用紙を画像形成部に搬送し入力された画像データに基づく画像を用紙に形成する。【選択図】図２
2015142316.tif 000002
【特許請求の範囲】
【請求項１】
原稿の一方の面の画像を読み取る読み取り部と、
前記原稿を前記読み取り部と対向する位置へ搬送する原稿搬送部と、
外部から画像の素となる画像データが入力されるインターフェイスと、
前記読み取り部によって読み取った画像または前記インターフェイスを介して入力された画像データに基づく画像を用紙に形成する画像形成部と、
前記用紙を前記画像形成部に搬送する搬送路と、
前記用紙の搬送を制御するとともに当該用紙に形成する画像を制御する制御回路部と
からなり、前記制御回路部は、
逐次前記原稿搬送部によって前記原稿を搬送して前記読み取り部によって読み取った画像を前記用紙に形成するコピー処理中、前記搬送路内で当該用紙を搬送中に前記原稿搬送部で原稿詰まりが発生した際、
前記用紙が前記画像形成部に達した後である場合は当該画像形成部から当該用紙を排出し、
前記用紙が前記画像形成部に達する前であり且つ前記インターフェイスを介して画像データが入力されている場合には、当該用紙を当該画像形成部に搬送するとともに前記インターフェイスを介して入力された当該画像データに基づく画像を当該用紙に形成する印刷処理を実行する
ことを特徴とする画像形成装置。
【請求項２】
原稿の一方の面の画像を読み取る読み取り部と、
前記原稿を前記読み取り部と対向する位置へ搬送する原稿搬送部と、
外部から画像の素となる画像データが入力されるインターフェイスと、
前記読み取り部によって読み取った画像または前記インターフェイスを介して入力された画像データに基づく画像を用紙の一方の面に形成する画像形成部と、
前記用紙を前記画像形成部に搬送する搬送路と、
前記画像形成部から搬送された前記用紙を反転させて再び前記画像形成部に搬送する反転部と
からなり、前記制御回路部は、
逐次前記原稿搬送部によって前記原稿を搬送して前記読み取り部によって読み取った画像を前記用紙に形成するコピー処理中、前記搬送路内で当該用紙を搬送中に前記原稿搬送部で原稿詰まりが発生した際、
前記用紙が前記画像形成部に達した後である場合は当該画像形成部から当該用紙を排出し、
前記用紙が前記画像形成部に達する前であり且つ前記インターフェイスを介して画像データが入力されており、当該画像データに基づく画像が前記搬送路を搬送中の用紙に対応する種類でない場合は当該用紙を前記反転部へ搬送し、待避させ、
前記用紙が前記画像形成部に達する前であり且つ前記インターフェイスを介して画像データが入力されており、当該画像データに基づく画像が前記搬送路を搬送中の用紙に対応する種類である場合には、当該搬送路を搬送中の用紙を当該画像形成部に搬送するとともに当該用紙の一方の面に当該画像データに基づく画像を当該用紙に形成する印刷処理を実行する
ことを特徴とする画像形成装置。
【請求項３】
前記制御回路部は前記用紙を前記反転部に待避させ且つ前記原稿詰まりが解消した後に前記コピー処理または前記印刷処理が指示された際、
前記コピー処理または前記印刷処理に供する用紙の種類が前記反転部に待避させている用紙に対応する種類である場合には当該反転部に待避させている用紙を前記画像形成部に搬送するとともに当該コピー処理または当該印刷処理を実行し、
前記コピー処理または前記印刷処理に供する用紙の種類が前記反転部に待避させている用紙と異なる種類であり且つ当該コピー処理または当該印刷処理が用紙の両面に対する処理である場合には当該反転部に待避させている用紙を排出する
ことを特徴とする請求項２に記載の画像形成装置。
【請求項４】
原稿を読み取り部と対向する位置へ搬送する原稿搬送ステップと、
前記原稿の画像を前記読み取り部で読み取る読み取りステップと、
用紙を画像形成部に搬送する用紙搬送ステップと、
前記読み取り部によって読み取った画像または外部から入力された外部画像データに基づく画像を前記用紙に形成する画像形成ステップと、
前記原稿搬送中の原稿詰まりを検知するジャム検知ステップと、
前記原稿詰まりの検知が、前記用紙が前記画像形成部に達した後である場合は当該画像形成部から当該用紙を排出する排出ステップと、
前記用紙が前記画像形成部に達する前であり且つ前記外部からの画像データが入力されている場合には、当該用紙を当該画像形成部に搬送するとともに前記外部画像データに基づく画像を当該用紙に形成する継続ステップを含む
ことを特徴とする画像形成装置の制御方法。
【発明の詳細な説明】
【技術分野】
【０００１】
本発明は、原稿を自動搬送して読み取ることのできるスキャナー機能とプリンター機能とを有し、コピー処理を行うこともできる画像形成装置に関する。
【背景技術】
【０００２】
いわゆるＭＦＰ（Ｍulti Ｆunction Ｐeripherals：一般に複合機とも称される）とは、スキャナー（原稿の読み取り）機能とプリンター（印刷）機能と（必要に応じてファクシミリ送受信機能と）を備えた装置である。このＭＦＰは、スキャナー機能とプリンター機能とを組み合わせて、コピー機（複写機）としても使用される。
【０００３】
また、このようなＭＦＰでは、複数枚の原稿を連続して読み取るためのＡＤＦ（Ａuto Ｄocument Ｆeeder：原稿読み取り装置）や印刷用紙を連続して給紙（印刷用紙を格納するトレイから印刷用紙を引き出してプリンター部へ搬送すること）するオートシートフィーダー（自動給紙装置）を備え、コピー処理と外部のコンピューター等による印刷処理とを連続且つ同時に実行できるＭＦＰも少なくない。
【０００４】
ところで、読み取るべき原稿用紙には折り目がついていることも珍しくなく、これがＡＤＦでのジャム（ＪＡＭ、紙詰まりを意味する）の原因の一つにもなる。
また、変形した原稿（各々寸法や形状が著しく異なる原稿）が重ねられてＡＤＦにセットされたり、綴じられたままの原稿がＡＤＦにセットされる場合もある。このような場合には、ＡＤＦでのジャムを避けることは難しい。
【０００５】
上述のコピー処理で、ＡＤＦによる原稿の読み取り開始とほぼ同時に印刷用紙の給紙を開始するようなＭＦＰでは、ＡＤＦでジャムが発生して原稿の読み取りが停止すると、プリンター部や印刷用紙を搬送する搬送路に印刷用紙が滞留してしまい、外部のコンピューター等による印刷処理ができなくなる。
【先行技術文献】
【特許文献】
【０００６】
【特許文献１】特開２００３−０７６０７２号公報
【特許文献２】特開２００１−３０５９１４号公報
【発明の概要】
【発明が解決しようとする課題】
【０００７】
ＡＤＦでジャムが発生して原稿の読み取りが停止した場合にも、速やかに外部のコンピューター等による印刷処理を再開するためには、プリンター部や印刷用紙の搬送路に滞留している印刷用紙を除去する必要がある。
しかし、除去した印刷用紙を通常処理された印刷物が排出される排紙トレイに排出すると、外部のコンピューター等による印刷物に、白紙や印刷途中の印刷用紙が混入することになる。
【０００８】
こうした、ジャム発生時の不都合に対応するものとして、特開２００３−０７６０７２号公報には、途中で停止した印刷用紙を両面印刷のための反転部に待避する構成が示されている。
しかしながらこの構成では、ジャムが発生した際に反転部に印刷用紙が残るため、両面印刷ができなくなる。また、レターヘッド（定型印刷用紙）を使用した場合には、裏面に印刷されてしまうという不具合が発生し得る。
【０００９】
なお、特開２００１−３０５９１４号公報には、処理中にジャムが発生した場合には印刷用紙を反転部に待避させるが、所定時間内に元の処理に戻っていない場合には反転部に待避させていた印刷用紙を排出することが記載されている。
ただし、この公報に示される構成は、ジャム等で処理が停止した際に、印刷用紙が無駄に排出されることを防止し得るものではない。
【００１０】
本発明は、かかる点に鑑みてなされたものであり、その目的とするところは、コピー中にＡＤＦで原稿が詰まって処理が停止した際に外部のコンピュータ等から印刷処理が入力された場合にも、印刷用紙の無駄な排出を抑制することができる画像形成装置および画像形成装置の制御方法を提供することにある。
【課題を解決するための手段】
【００１１】
本発明の画像形成装置は、原稿の一方の面の画像を読み取る読み取り部と、前記原稿を前記読み取り部と対向する位置へ搬送する原稿搬送部と、外部から画像の素となる画像データが入力されるインターフェイスと、前記読み取り部によって読み取った画像または前記インターフェイスを介して入力された画像データに基づく画像を用紙に形成する画像形成部と、前記用紙を前記画像形成部に搬送する搬送路と、前記用紙の搬送を制御するとともに当該用紙に形成する画像を制御する制御回路部とからなり、前記制御回路部は、逐次前記原稿搬送部によって前記原稿を搬送して前記読み取り部によって読み取った画像を前記用紙に形成するコピー処理中、前記搬送路内で当該用紙を搬送中に前記原稿搬送部で原稿詰まりが発生した際、前記用紙が前記画像形成部に達した後である場合は当該画像形成部から当該用紙を排出し、前記用紙が前記画像形成部に達する前であり且つ前記インターフェイスを介して画像データが入力されている場合には、当該用紙を当該画像形成部に搬送するとともに前記インターフェイスを介して入力された当該画像データに基づく画像を当該用紙に形成する印刷処理を実行することを特徴とする。
また、本発明の画像形成装置は、原稿の一方の面の画像を読み取る読み取り部と、前記原稿を前記読み取り部と対向する位置へ搬送する原稿搬送部と、外部から画像の素となる画像データが入力されるインターフェイスと、前記読み取り部によって読み取った画像または前記インターフェイスを介して入力された画像データに基づく画像を用紙の一方の面に形成する画像形成部と、前記用紙を前記画像形成部に搬送する搬送路と、前記画像形成部から搬送された前記用紙を反転させて再び前記画像形成部に搬送する反転部とからなり、前記制御回路部は、逐次前記原稿搬送部によって前記原稿を搬送して前記読み取り部によって読み取った画像を前記用紙に形成するコピー処理中、前記搬送路内で当該用紙を搬送中に前記原稿搬送部で原稿詰まりが発生した際、前記用紙が前記画像形成部に達した後である場合は当該画像形成部から当該用紙を排出し、前記用紙が前記画像形成部に達する前であり且つ前記インターフェイスを介して画像データが入力されており、当該画像データに基づく画像が前記搬送路を搬送中の用紙に対応する種類でない場合は当該用紙を前記反転部へ搬送し、待避させ、前記用紙が前記画像形成部に達する前であり且つ前記インターフェイスを介して画像データが入力されており、当該画像データに基づく画像が前記搬送路を搬送中の用紙に対応する種類である場合には、当該搬送路を搬送中の用紙を当該画像形成部に搬送するとともに当該用紙の一方の面に当該画像データに基づく画像を当該用紙に形成する印刷処理を実行することを特徴とする。
さらに、前記制御回路部は前記用紙を前記反転部に待避させ且つ前記原稿詰まりが解消した後に前記コピー処理または前記印刷処理が指示された際、前記コピー処理または前記印刷処理に供する用紙の種類が前記反転部に待避させている用紙に対応する種類である場合には当該反転部に待避させている用紙を前記画像形成部に搬送するとともに当該コピー処理または当該印刷処理を実行し、記コピー処理または前記印刷処理に供する用紙の種類が前記反転部に待避させている用紙と異なる種類であり且つ当該コピー処理または当該印刷処理が用紙の両面に対する処理である場合には当該反転部に待避させている用紙を排出することを特徴とする。
また本発明の画像形成装置の制御方法は、原稿を読み取り部と対向する位置へ搬送する原稿搬送ステップと、前記原稿の画像を前記読み取り部で読み取る読み取りステップと、用紙を画像形成部に搬送する用紙搬送ステップと、前記読み取り部によって読み取った画像または外部から入力された外部画像データに基づく画像を前記用紙に形成する画像形成ステップと、前記原稿搬送中の原稿詰まりを検知するジャム検知ステップと、前記原稿詰まりの検知が、前記用紙が前記画像形成部に達した後である場合は当該画像形成部から当該用紙を排出する排出ステップと、前記用紙が前記画像形成部に達する前であり且つ前記外部からの画像データが入力されている場合には、当該用紙を当該画像形成部に搬送するとともに前記外部画像データに基づく画像を当該用紙に形成する継続ステップを含むことを特徴とする。
【発明の効果】
【００１２】
これにより本発明によれば、用紙が二次給紙される前に原稿詰まりでコピー処理が停止した場合には、外部のコンピューター等からの印刷処理の入力に対して二次給紙前の（一次給紙された）用紙に画像を形成するので、印刷用紙の無駄な排出を抑制することができるという効果を奏する。
【図面の簡単な説明】
【００１３】
【図１】本発明が適用される画像形成装置の構成を説明する図である。
【図２】本実施の形態におけるコピー処理の手順を示すフローチャートである。
【図３】本実施の形態の拡張例であるコピー処理の手順を示すフローチャートである。
【発明を実施するための形態】
【００１４】
次に、本発明の実施の形態を、図面を参照して具体的に説明する。なお、以下の各図において、同一構成要素には同一符号を付している。
本発明は、図１に示すように複合機（ＭＦＰ）１に適用されるものであり、本体１０内に画像形成部１２を有し、本体１０の上部（上面）に原稿読み取り部２０が形成されている。
画像形成部１２の構成は一般的なものであるので、詳細な説明は省略するが、図１では用紙トレイ４４から引き出された用紙Ｐが、搬送路４６を介して画像形成部１２の下方から給紙される。なお、搬送路４６と画像形成部１２の間には、用紙Ｐの端部の通過を検知するため、フォトインタラプター等から成るセンサー４７ａが設けられている。
【００１５】
図１に示す複合機１では、用紙トレイ４４には用紙Ｐの他、この用紙Ｐとは寸法や色・用途（例えば白紙とレターヘッド）の異なる用紙Ｐ-1、用紙Ｐ-2、用紙Ｐ-3を格納することができる構成となっている。本実施の形態では、必要に応じてこれら用紙Ｐ-1、用紙Ｐ-2、用紙Ｐ-3も単に用紙Ｐと称する。
【００１６】
画像形成部１２によって画像が形成（印刷）された用紙Ｐは、排出路４８によって搬送されるが、排出路４８内に設けられた切替爪２３によって、排紙トレイ８１に排出されるか排紙トレイ８４に排出されるか振り分けられる。
搬送路４において、排紙トレイ８１へと向かう端部には、用紙Ｐを挟持して搬送するための一対の排紙ローラー８１ａと、用紙Ｐを検知するためのセンサー４７ｂが設けられている。センサー４７ｂはセンサー４７ａと同様で、用紙Ｐの端部の通過を検知するためのフォトインタラプター等から成る。
【００１７】
原稿読み取り部２０は、スキャナー２１（読み取り器）を移動させることで、原稿読み取り部２０の上面と対向する原稿Ｄの一方の面の画像を読み取るものであるが、本実施の形態の複合機１では、本体１０の上部にＡＤＦ２が載置されている。
ＡＤＦ２は、原稿トレイ２２と原稿搬送部２４とを有しており、原稿トレイ２２に載置された原稿Ｄを原稿搬送部２４が引き出すとともに、この原稿Ｄを原稿読み取り部２０の上面へと搬送する。この時、原稿Ｄはスキャナー２１の上方を通過するので、スキャナー２１を移動させることなく原稿Ｄの一方の面の画像を読み取る構成となっている。
【００１８】
なお原稿搬送部２４は、原稿Ｄを搬送するローラーを回転させるステッピングモーターのパルス数や原稿Ｄの動きを検知するセンサー等によってジャムを検知するための構成を有しているが、こうしたジャムを検知するための構成は一般的なものであるので、図示ならびに詳細な説明は省略する。
【００１９】
また、原稿搬送部２４の上部はカバー２４ａで覆われているが、このカバー２４ａは支持部２４ｂを支点に図示の矢印の方向に回動させ、開閉させることができる。さらにＡＤＦ２側には、カバー２４ａの回動端の動きによってその開閉状態を検出するためのセンサー（スイッチ）２４ｃが設けられている。
【００２０】
さらに本体１０には、制御回路部３１や操作部３３、Ｉ／Ｆ（Ｉnterｆace：インターフェイス）３５、記憶部３７等を有する制御装置３が設けられている。
操作部３３は、一例として本体１０の上部に設けられるとともにＩ／Ｆ３５を介して制御回路部３１に接続され、この複合機１の利用者に各種情報を報知したり利用者からの指示・操作を受け付けたりするための表示器（例えば液晶表示器）やタッチパネル、スイッチやボタン（キーボード）等から構成される。
【００２１】
Ｉ／Ｆ３５は、外部の通信回線と接続して画像データや各種情報を送受信するための有線ＬＡＮ（Ｌocal Ａrea Ｎetwork）通信回路や無線ＬＡＮ通信回路の他、これらとはプロトコルの異なる無線通信回路やパラレルデータバスやシリアルデータバスの外部通信回路等から構成される。
なお、上述の操作部３３に対する入出力回路やメモリーカードの読み書き回路も、このＩ／Ｆ３５に含まれる。
記憶部３７は、スキャナー２１によって読み取った画像データ（印刷データ）やＩ／Ｆ３５を介して入力されたデータを一時的に記憶（スプール）する際等に用いられる。
【００２２】
次に本実施の形態の動作の流れを、図２を参照して説明する。なお、複合機１は幾つかの処理モードで動作することが可能であるが、本実施の形態はコピーモードとプリンターモードに係るものである。
このコピーモードとは、原稿読み取り部２０およびこれに付随する装置によって原稿Ｄの画像を読み取り、読み取った画像を用紙Ｐの表面に形成するモードである。
またプリンターモードとは、Ｉ／Ｆ３５を介して外部のコンピューター等から画像の素となるデータが入力され、このデータに基づいた画像を用紙Ｐの表面に形成するモードである。
【００２３】
本実施の形態では、まず制御回路部３１は複合機１をコピーモードに切り替え（Ｓｔｅｐ１１）、コピー処理の指示を待つ。
原稿トレイ２２上にコピーされる原稿Ｄが載置され（Ｓｔｅｐ１２）、操作部３３からコピー処理の開始が指示される（Ｓｔｅｐ１３）と、制御回路部３１は原稿搬送部２４によって原稿トレイ２２上の原稿Ｄを１枚ずつ搬送し、スキャナー２１によって原稿Ｄの画像を読み取る（Ｓｔｅｐ１４）。
【００２４】
制御回路部３１は、原稿トレイ２２上の原稿Ｄの搬送を開始すると、用紙トレイ４４から用紙Ｐ（操作部３３等から指示があった場合は、該当する用紙Ｐ、用紙Ｐ-1〜用紙Ｐ-3の何れか）を引き出し、搬送路４６へ搬送する（Ｓｔｅｐ１５）。
【００２５】
なお、用紙Ｐを搬送路４６まで引き出し、画像形成部１２へ搬送する前の状態を一次給紙と称するが、この一次給紙は、スキャナー２１によって原稿Ｄの画像の読み取りが開始される前に実行されてもよい。
【００２６】
ここで制御回路部３１は、原稿搬送部２４でジャムが発生しているか否かを確認する（Ｓｔｅｐ１６）。ここで、ジャムが発生していなければ、用紙Ｐを画像形成部１２へと送り、スキャナー２１によって読み取った原稿Ｄの画像を、画像形成部１２によって用紙Ｐの一方の面に形成する（Ｓｔｅｐ１７）。
【００２７】
なお、画像形成部１２による画像形成の方法、処理手順等は一般的なものであるので、その詳細な説明は省略するが、一般に転写ローラー１２ａによる転写前のレジストローラー１２ｂまでを一次給紙、レジストローラー１２ｂによる給紙を二次給紙と称する。
本実施の形態では、この二次給紙は、スキャナー２１によって原稿Ｄの画像の読み取りが開始された後に実行されるものとする。
【００２８】
制御回路部３１は、１枚の原稿Ｄの画像の読み取りならびに用紙Ｐへの当該画像の形成（即ち、コピー処理）が終了したら、原稿トレイ２２上に次にコピーすべき原稿があるか否かをＡＤＦ２に（一般に、原稿トレイ２２上に原稿があるか否かはＡＤＦ２が検知する）確認し（Ｓｔｅｐ１８）、原稿がある場合にはＳｔｅｐ１４に戻る。原稿がない場合には、コピー処理終了となる。
【００２９】
上述のＳｔｅｐ１６で、原稿搬送部２４におけるジャムの発生を検知した場合は、制御回路部３１は用紙Ｐが二次給紙前か否かを確認する（Ｓｔｅｐ２１）。本実施の形態では、用紙Ｐの端部（前端部）が図１に示すレジストローラー１２ｂの位置に達していないことがセンサー４７ａ等によって確認できれば、二次給紙前であると判断する。ここで、二次給紙が実行された後であると判断した場合、画像形成部１２内の用紙Ｐを排出し（Ｓｔｅｐ２２）、本実施の形態におけるコピー処理は終了となる。
なお、Ｓｔｅｐ２１で二次給紙後であると判断しＳｔｅｐ２２で用紙Ｐを排出した場合には、制御回路部３１は操作部３３によってジャムの発生を報知するが、報知の方法、処理手順等は一般的なものであるので、その詳細な説明は省略する。
【００３０】
一方、Ｓｔｅｐ２１で二次給紙前であると判断した場合、次に制御回路部３１は、Ｉ／Ｆ３５を介して外部のコンピューター等からのデータに基づく画像形成（印刷処理）の要求があるか否か（Ｓｔｅｐ３１）、この印刷処理が一次給紙された用紙と同サイズ（同寸法・同形状）であるか否か（Ｓｔｅｐ３２）を確認する。
【００３１】
ここで、一次給紙された用紙と同サイズの印刷処理が存在する場合は、制御回路部３１は現在の処理（コピー処理）を中断し（Ｓｔｅｐ３３）、複合機１をプリンターモードに切り替えるかまたはコピー処理中の印刷データを記憶部３７にスプールし（Ｓｔｅｐ３４）、用紙Ｐを搬送路４６から画像形成部１２へと送り、外部のコンピューター等からの印刷処理を行う（Ｓｔｅｐ３５）。
【００３２】
Ｓｔｅｐ３１で他に印刷処理がないと判断した場合、あるいはＳｔｅｐ３２で印刷処理が一次給紙された用紙とサイズが異なると判断した場合には制御回路部３１は、搬送路４６にある用紙Ｐは画像を形成せずに画像形成部１２を通過させ、反転部５へと搬送して待避させる（Ｓｔｅｐ４１）。
【００３３】
この後、制御回路部３１はジャムが解消されるまで待機する（Ｓｔｅｐ４２）。ジャムが解消されたか否かの判断は、図１に示すカバー２４ａが開けられ、再びカバーが閉じられた際にセンサー２４ｃやその他原稿搬送部２４に設けられたセンサーによって行い、これらセンサーによって用紙が検知されなければジャムが解消したものとする。
ジャムが解消されたことを確認した後、コピー処理続行の指示があったか否か（Ｓｔｅｐ４３）を確認する。このコピー処理続行の指示は、操作部３３等から行われる。
【００３４】
Ｓｔｅｐ４３で、コピー処理続行が指示されていない場合、次に制御回路部３１は操作部３３等からコピー処理の取り消しの操作が行われたか否かを確認する（Ｓｔｅｐ４４）。コピー処理が取り消されていなければ、Ｓｔｅｐ４２に戻る。即ち、ジャムが解消するかコピー処理が取り消されるまで待機することになる。
Ｓｔｅｐ４４で、コピー処理が取り消されたと判断した場合には、反転部５に待避させている用紙Ｐを本体１０外に排出し（Ｓｔｅｐ６１）、コピー処理終了となる。
【００３５】
上述のＳｔｅｐ４２でジャムが解消したと判断した場合、且つＳｔｅｐ４３でコピー処理続行の指示があったと判断した場合は、反転部５に待避させている用紙Ｐを搬送路４６を経由して画像形成部１２へ搬送（二次給紙）し（Ｓｔｅｐ３６）、Ｓｔｅｐ１７へ移って用紙Ｐの一方の面に画像を形成する。
【００３６】
このように本実施の形態では、Ｓｔｅｐ１４〜Ｓｔｅｐ１８で、ＡＤＦにセットされた原稿を連続して読み取り、用紙にコピーする処理を実行する。このコピー処理中に原稿搬送部でジャムが発生してコピー処理が停止した際に外部から印刷処理が入力された場合、画像が形成される用紙が二次給紙前であればコピーモードからプリンターモードに切り替えるかまたはコピー処理中の印刷データをスプールし、一次給紙中の用紙を印刷処理に供する。従って、一次給紙中の用紙が無駄に排出されることは抑制される。
【００３７】
なお、Ｓｔｅｐ３４で（プリンターモードに切り替えずに）スプールした場合には、上述した処理の終了後、スプールしておいたコピー処理中の印刷データ（印刷ジョブ）の内、用紙Ｐに適合するものから記憶部３７より読み出し、印刷処理を実行することが可能である。
【００３８】
また、本発明が上記各実施の形態に限定されず、本発明の技術思想の範囲内において、各実施の形態は適宜変更され得ることは明らかである。
例えば、Ｓｔｅｐ４１で反転部５に待避させた用紙Ｐは、上述したようにスプールしておいたデータを処理する場合以外にも、同サイズ（同種類）の用紙Ｐに画像を形成する処理に用いれば、無駄に排出されずに済む。
【００３９】
このような場合の動作の流れを、図３を参照して説明する。なお図３において、Ｓｔｅｐ１１からＳｔｅｐ４４までの処理は、図２で説明したものと同一であるので、その説明は省略する。
図３に示す例では、Ｓｔｅｐ４４でコピー処理が取り消されると、制御回路部３１は次のコピー処理または印刷処理の指示があるまで待機する（Ｓｔｅｐ５０）。
【００４０】
次のコピー処理または印刷処理が指示されると、当該処理（画像形成処理）に用いる用紙が、反転部５に待避させている用紙Ｐと同一サイズ（もしくは同一種類）であるか否かを確認する（Ｓｔｅｐ５１）。ここで、次の処理に用いる用紙が反転部５に待避させている用紙Ｐと同一であれば、反転部５に待避させている用紙Ｐを使用することができる。そこで、反転部５に待避させている用紙Ｐを搬送路４６を経由して画像形成部１２へ搬送し、この画像形成処理を実行する（Ｓｔｅｐ５２）。
【００４１】
Ｓｔｅｐ５１で、次の処理に用いる用紙が反転部５に待避させている用紙Ｐと異なる場合、次の処理が用紙Ｐの片面に対する画像形成処理か否かを確認する（Ｓｔｅｐ５３）。ここで、用紙サイズや種類が異なれば、反転部５に待避させている用紙Ｐを用いて画像形成処理を実行することはできないが、片面に対する画像形成処理であれば反転部５を使用することはないので、Ｓｔｅｐ５０に戻って、さらに次のコピー処理または印刷処理の指示があるまで待機する。
【００４２】
Ｓｔｅｐ５３で、次の処理が用紙Ｐの両面に対する画像形成処理である場合、用紙Ｐを反転（表裏反転）させるために反転部５が使用されることになる。そこで、反転部５に待避させている用紙Ｐを本体１０外に排出する（Ｓｔｅｐ６１）。
このようにして、反転部に待避させている印刷用紙も、無駄に排出されることを抑制することができる。
【符号の説明】
【００４３】
１  複合機
２  ＡＤＦ
３  制御装置
５  反転部
１０  本体
１２  画像形成部
１２ａ  転写ローラー
１２ｂ  レジストローラー
２０  原稿読み取り部
２１  スキャナー（読み取り部）
２２  原稿トレイ
２３  切替爪
２４  原稿搬送部
２４ａ  カバー
２４ｂ  支持部
２４ｃ  センサー
３１  制御回路部
３３  操作部
３５  Ｉ／Ｆ（インターフェイス）
３７  記憶部
４４  用紙トレイ
４６  搬送路
４７ａ、４７ｂ  センサー
４８  排出路
８１、８４  排紙トレイ
８１ａ  排紙ローラー
Ｄ  原稿
Ｐ、Ｐ-1、Ｐ-2、Ｐ-3  用紙
【図１】
2015142316.tif 000003
【図２】
2015142316.tif 000004
【図３】
2015142316.tif 000005